【手続補正書】
【提出日】平成18年3月20日(2006.3.20)
【手続補正１】
【補正対象書類名】特許請求の範囲
【補正対象項目名】全文
【補正方法】変更
【補正の内容】
【特許請求の範囲】
【請求項１】
通信装置のための電源であって、
第１のアンテナ信号を選択しようとする時および第２のアンテナ信号を選択しようとする時を示す第１の制御信号の源と、
前記第１の制御信号に応答して、前記第１の制御信号に従って選択された値の出力供給電圧を生成するパワー・トランジスタであって、前記出力供給電圧は前記通信装置の段に結合されて、第１の値の前記出力供給電圧が生成されたときは、前記第１のアンテナ信号が選択され、第２の値の前記出力供給電圧が生成されたときは、前記第２のアンテナ信号が選択されるパワー・トランジスタと、
前記第１の制御信号に応答する、前記パワー・トランジスタの入力に結合されたスイッチであって、前記第１のアンテナ信号が選択されたときは、前記スイッチの第１の切換え状態で、第１の入力供給電圧が前記入力で発生するように選択し、前記第２のアンテナ信号が選択されたときは、前記スイッチの第２の切換え状態で、第２の入力供給電圧が前記入力で発生するように選択するスイッチと、
前記スイッチに結合された障害検出器であって、前記第２のアンテナ信号が選択されていて障害状態が発生したときは、前記スイッチの切換え状態を変更して、前記第２の入力供給電圧とは異なる入力供給電圧が前記入力で発生するよう選択されるようにする障害検出器と、を備える電源。
【請求項２】
前記出力供給電圧は、前記パワー・トランジスタの第１の主電流導通端子で発生し、前記第１および第２の入力供給電圧は、それぞれ前記パワー・トランジスタの第２の主電流導通端子で選択的に発生して直列接続レギュレータが形成される、請求項１に記載の電源。
【請求項３】
正常動作では、前記第１のアンテナ信号が選択されたとき、前記パワー・トランジスタの前記第１と第２の主電流導通端子間の電圧差を小さくするように、小さい方の前記出力供給電圧が生成され、前記第２の入力供給電圧よりも小さい前記第１の入力供給電圧が前記パワー・トランジスタの前記入力で発生するように選択される、請求項２に記載の電源。
【請求項４】
正常動作では、前記第２のアンテナ信号が選択されたとき、大きい方の前記出力供給電圧が生成され、前記第１の入力供給電圧よりも大きい前記第２の入力供給電圧が前記パワー・トランジスタの前記入力で発生するように選択され、
前記障害状態が発生したときは、前記パワー・トランジスタの前記第１と第２の主電流導通端子間の電圧差を小さくするために、前記第２の入力供給電圧の代わりに前記第１の入力供給電圧が前記パワー・トランジスタの前記第２の主電流導通端子で発生するように選択される、請求項２に記載の電源。
【請求項５】
前記出力供給電圧を負帰還方式で調整するために、前記パワー・トランジスタに結合されたレギュレータを更に備える、請求項２に記載の電源。
【請求項６】
前記障害検出器は、比較器を備え、
前記比較器は、前記出力供給電圧に応答して第２の制御信号を生成し、
前記第２の制御信号は、前記スイッチに結合されて、前記出力供給電圧が正常動作範囲の値を外れているときに前記スイッチの切換え状態を変更する、請求項１に記載の電源。
【請求項７】
前記第１および第２の制御信号はそれぞれ、論理関数を実現する段を介して前記スイッチに結合される、請求項６に記載の電源。
【請求項８】
前記第１の制御信号は、前記第２の制御信号に応答するマイクロプロセッサ中で生成される、請求項６に記載の電源。
【請求項９】
前記スイッチは、第２のトランジスタを備え、
前記第２のトランジスタの主電流導通端子の対の間には電力抵抗が結合され、
前記第２のトランジスタが、導通切換え状態のとき、前記抵抗はバイパスされ、前記入力で発生する電圧は、前記第２のトランジスタが非導通切換え状態であり、前記抵抗が電力を消費するときよりも高い、請求項１に記載の電源。
【手続補正２】
【補正対象書類名】明細書
【補正対象項目名】０００８
【補正方法】変更
【補正の内容】
【０００８】
単一の受信機から３つ以上の衛星アンテナ・デバイスに供給する必要性に伴って、衛星アンテナ供給の電力要求が増大する。電力駆動能力の増大の結果、電源に障害状態があるときは、電力損失が（熱の形態で）より多くなる。障害状態の間、制御可能な直列接続トランジスタ中で生成される熱を最小限に抑える必要がある。制御可能な直列接続トランジスタは、その出力端子に短絡またはその他の障害が形成された場合に、損傷を受けることがある。障害状態は、例えば、受信機器の出力が不適当に配線された結果として生じることがある。不適当な配線の例には、同軸ケーブルの中に釘を打ち込むことや、衛星受信機を、衛星パラボラ・アンテナではなく、通常の屋上アンテナに接続することが含まれる。このような損傷は、直列接続トランジスタの過度の熱消費により引き起こされるか、直列接続トランジスタの電流定格を超えることにより引き起こされることが多い。このような理由により、直列接続トランジスタに対するこの種の損傷を防止するための過負荷保護回路を設けることが一般的である。
【手続補正３】
【補正対象書類名】明細書
【補正対象項目名】００１１
【補正方法】変更
【補正の内容】
【００１１】
本発明の一態様を実現する通信装置用電源は、第１のアンテナ信号を選択しようとする時および第２のアンテナ信号を選択しようとする時を示す第１の制御信号の源（ソース）を備えている。パワー・トランジスタが、第１の制御信号に応答して、第１の制御信号に従って選択された値の出力供給電圧を生成する。出力供給電圧は通信装置の段に結合されて、第１の値の出力供給電圧が生成されたときは、第１のアンテナ信号が選択され、第２の値の出力供給電圧が生成されたときは、第２のアンテナ信号が選択される。スイッチが、第１の制御信号に応答し、パワー・トランジスタの入力に結合されており、それにより、第１のアンテナ信号が選択されたときは、スイッチの第１の切換え状態で、第１の入力供給電圧が入力で発生するように選択される。第２のアンテナ信号が選択されたときは、スイッチの第２の切換え状態で、第２の入力供給電圧が入力で発生するように選択される。スイッチには障害検出器が結合されており、それにより、第２のアンテナ信号が選択されていて、障害状態が発生したときは、スイッチの切換状態が変更されて、第２の入力供給電圧とは異なる入力供給電圧が入力で発生するように選択される。
【手続補正４】
【補正対象書類名】明細書
【補正対象項目名】００１９
【補正方法】変更
【補正の内容】
【００１９】
図３のトランジスタＱ１中の最大電力消費は、電圧ＶＯが６Ｖに等しく、出力電流ＩＯが電流制限レベルにあるときに発生する。出力電圧ＶＯが低下すると、２２ボルトの入力電圧ＶＩＮがトランジスタＱ１のエミッタに結合されているときに、もしそうなることが妨げられないならば、パワー・トランジスタＱ１のエミッタとコレクタの間で発生する電圧降下が過度になる。このような障害状態で生成される追加の熱は、パワー・トランジスタＱ１に対する永久的な損傷を、早すぎる時期にもたらす可能性がある。
【手続補正５】
【補正対象書類名】明細書
【補正対象項目名】００２５
【補正方法】変更
【補正の内容】
【００２５】
コストを節約するために、単一の入力供給電圧３０１′、即ち２２ボルトの電圧が供給される。電力抵抗３１０′は、低い方のレベルである１３ボルトの出力電圧ＶＯが選択されたときに、低い方の１３ボルト・モードで生成される追加の熱を吸収するのに使用される。電力抵抗３１０′は、例えば、ＭＯＳＦＥＴ５１′の主電流導通端子５１ａ′と５１ｂ′との間に結合された、９オームの等価な値を有する２つの抵抗を使用して実現する。上述したように、図３の回路１０は、障害状態のときであって、低い方のレベルである１３ボルト出力電圧ＶＯが選択されたとき、ダイオード２１およびＭＯＳＦＥＴ５１を利用して電圧ＶＩＮを１６ボルト・レベルに切り換える。一方、図６の実施例では、ＭＯＳＦＥＴ５１′は、障害状態と、低い方のレベルである１３ボルトの出力電圧ＶＯが選択された状態の両方があるとき、電力抵抗３１０′をトランジスタＱ１′と直列結合させる。
【手続補正６】
【補正対象書類名】明細書
【補正対象項目名】００２６
【補正方法】変更
【補正の内容】
【００２６】
低雑音ブロック・コンバータ（ＬＮＢ）供給が１３ボルト・モードのとき、即ち低い方のレベルである１３ボルトの出力電圧ＶＯが選択されたときであって、電源に高電流レベルが要求されるとき、かなりの熱がパワー・トランジスタＱ１′により消費される。この熱消費の負担は、有利なことに、電力抵抗３１０′と分かち合う。電力抵抗３１０′が回路内か、または回路外かは、ＭＯＳＦＥＴ５１′が、オンかオフかにより決まる。